(57)【要約】【課題】誰でも簡単に自分の好みに応じた棚構成で組立できる棚装置を提供する。【解決手段】上下に連結される複数の柱部材１２と、柱部材１２の連結部１８間に挟装させて配置される棚板１４と、を有し、連結部下側の柱部材１２から上方に向けて軸杆２４が突設されるとともに、連結部上側の柱部材１２に該軸杆２４を挿入させる軸穴２６が設けられ、棚板１４には軸杆を貫通させるように穿孔された貫通孔３６が設けられ、棚板１４の貫通孔３６に軸杆２４を貫通させた状態で任意の軸杆回り位置に棚板１４を固定させる位置決め装置１６を有することを特徴とする棚装置１０から構成される。【選択図】図１
2009254713.tif 000002
【特許請求の範囲】
【請求項１】
上下に連結される複数の柱部材と、
柱部材の連結部間に挟装させて配置される棚板と、を有し、
連結部下側の柱部材から上方に向けて軸杆が突設されるとともに、
連結部上側の柱部材に該軸杆を挿入させる軸穴が設けられ、
棚板には軸杆を貫通させる貫通孔が穿孔されており、
棚板の貫通孔に軸杆を貫通させた状態で任意の軸杆回り位置に棚板を固定させる位置決め装置を有することを特徴とする棚装置。
【請求項２】
位置決め装置は、連結部下側の柱部材が棚板を受ける受面であって、該受面から上方に向けて突設され、棚板の連結部下側の柱部材への打ち込みにより棚板に突き刺さって該棚板を位置決め固定する１個又は複数個の突刺部材を含む請求項１記載の棚装置。
【請求項３】
軸杆は下部を柱部材に埋め込ませて上部を上方に突設させたねじ軸からなり、
上側の柱部材に該ねじ軸と螺着する埋め込みナットを設置させた請求項１又は２記載の棚装置。
【請求項４】
埋め込みナットには外周から径方向に突設された突設部が設けられ、
埋め込みナットを上側の柱部材に予め形成した穴に打ち込む際に突設部を打撃しつつ埋め込みナットを埋め込ませる請求項３記載の棚装置。
【請求項５】
突設部は、埋め込みナットの打ち込み基端より埋め込み逆方向に突出された打撃受け部を含む請求項４記載の棚装置。
【発明の詳細な説明】
【技術分野】
【０００１】
本発明は、例えば、家庭や店頭において花瓶、人形等の置物や商品等の陳列、猫等の動物の遊具等、その他多目的に利用できる棚装置に関する。
【背景技術】
【０００２】
室内の装飾や店内の商品陳列等のために、例えば、花瓶、植木鉢、人形、写真、茶碗や壺などの陶器類、その他趣味小物等の置物や商品を棚や台等に飾っている。近時では、趣味の多様化により置物等を陳列する棚や台自体についても、デザイン性が高いものや、利用者の好みに応じて棚板の高さや向き等を含む棚板構成を自由に設計、変更できるものなど、バリエーションに富んだものが要求されている。
【０００３】
複数の棚板をある程度自由に配置させる技術として、例えば、特許文献１に猫用の遊戯装置が提案されている。特許文献１の猫用の遊戯装置は、猫が棚板を上り降りする遊具であって、縦方向に繋がれるポール部材間で棚板を挟んで固定するものであり、複数のポール部材を水平な棚板で接続し、棚板を支柱部に回動可能に接続されている。各ポール部材は、中空筒からなりその両端内部側に中心部にナットを配した連結部材が配置されて、キャップが被冠されている。連結部材は、内管部と外管部の２重管で、内管部中心にナットが配置されており、該内管部から外管部側に向けて３方向に架設されたキャップ連結部が設けられている。キャップに設けられたビス孔とキャップ連結部のねじ孔とを位置合わせしてキャップを被せた状態で３つのビスで固定されている。この連結部材のナットを介してポール部材にボルトを取り付け、ボルトに棚板を取り付けた後、ボルトの突出部に上側のポール部材を連結部材のナットを介して取り付けて、上下のポール部材で棚板を挟んで固定するものであった。
【０００４】
【特許文献１】特開２００４−３１５４６５号公報
【発明の開示】
【発明が解決しようとする課題】
【０００５】
しかしながら、特許文献１に記載された構成では、棚板をポール回りに回動可能とするものであり、棚板をポール部材で挟んで固定する前は、棚板はボルト周りに自由に回動する。したがって、一旦、棚板を利用者の好みの向きに設定しても棚板がすぐにずれやすく、例えば上側のポール部材の連結作業等の他の作業の際にも、常時作業者が手で保持しておく必要があり、組立作業が煩雑でスムーズに行えなかった。同時に、棚板がずれやすいことから棚板位置の微調整が困難で正確に配置させることが難しかった。さらに、ポール部材で棚板を挟み固定した後も、ポール部材と棚板とは、棚板上下に挟着したキャップとの摩擦力だけで保持されているので、棚板が軸回りにぐらついたり向きがずれたりするおそれが高かった。また、ポール部材の連結部の構成は、連結部材、キャップやそれらを固定する複数のビス等を含むことから、部品点数が多い複雑なものであり、製造工程も煩雑であり、組立時にもある程度の技術を要していた。すなわち、誰にでも簡単に組立て設置できるものではなく、手軽に利用しにくいものであった。
【０００６】
本発明は上記従来の課題に鑑みてなされたものであり、その一つの目的は、誰でも簡単に自分の好みに応じた棚板構成で組立てできる棚装置を提供することにある。
【課題を解決するための手段】
【０００７】
上記課題を解決するために本発明は、上下に連結される複数の柱部材１２と、柱部材１２の連結部１８間に挟装させて配置される棚板１４と、を有し、連結部下側の柱部材１２から上方に向けて軸杆２４が突設されるとともに、連結部上側の柱部材１２に該軸杆２４を挿入させる軸穴２６が設けられ、棚板１４には軸杆を貫通させる貫通孔３６が穿孔されており、棚板１４の貫通孔３６に軸杆２４を貫通させた状態で任意の軸杆回り位置に棚板１４を固定させる位置決め装置１６を有することを特徴とする棚装置１０から構成される。柱部材１２と棚板１４とを自由に組合せながら任意の棚板構成で組み立てることができる。柱部材１２の上下連結部の全てに棚板１４を挟装させて配置させてもよいし、一部の連結部に棚板１４を配置させてもよい。それぞれの柱部材１２の長さや、上下に連結する柱部材の数を変更することにより、全体の上下方向の長さを自由に変更できる。複数の柱部材１２は、全て同じ長さでも良いが、異なる長さでもよい。棚板１４の設置高さは、各柱部材１２の長さや、柱部材の上下の連結数に応じて変更できる。棚板１４は例えば、矩形状、多角形状、円形、楕円形等、その他任意の形状でもよい。また、棚板１４は全て同じ大きさでも良く、大きさや形状が異なっていてもよい。また、キットもののように柱部材と棚板をセットにして販売することも可能であり、個人でも簡単に組み立てることができる。棚装置１０は例えば室内でも屋外でも利用できる。
【０００８】
また、位置決め装置１６は、連結部下側の柱部材が棚板１４を受ける受面１２ａであって、該受面１２ａから上方に向けて突設され、棚板１４の連結部下側の柱部材１２への打ち込みにより棚板１４に突き刺さって該棚板を位置決め固定する１個又は複数個の突刺部材４０を含むこととしてもよい。
【０００９】
また、軸杆２４は下部を柱部材に埋め込ませて上部を上方に突設させたねじ軸２８からなり、上側の柱部材１２に該ねじ軸２８と螺着する埋め込みナット３０を設置させたこととしてもよい。埋め込みナット３０は、軸穴２６の深さに対応して軸穴２６全体に雌ねじ部を形成する長ナットの構成でもよく、軸穴２６の一部に雌ねじ部を形成する短いナットでもよい。
【００１０】
また、埋め込みナット３０には外周から径方向に突設された突設部３２が設けられ、埋め込みナット３０を上側の柱部材に予め形成した穴２６に打ち込む際に突設部３２を打撃しつつ埋め込みナット３０を埋め込ませることとしてもよい。突設部３２は埋め込みナット３０と一体的に設けられて、それらが一体的に柱部材１２に打ち込まれて、埋め込みされる。突設部３２は埋め込みナット３０の外周回りの一部から突設されている。
【００１１】
また、突設部３２は、埋め込みナットの打ち込み基端３０ａより埋め込み逆方向に突出された打撃受け部３４を含むこととしてもよい。
【発明の効果】
【００１２】
本発明の棚装置によれば、上下に連結される複数の柱部材と、柱部材の連結部間に挟装させて配置される棚板と、を有し、連結部下側の柱部材から上方に向けて軸杆が突設されるとともに、連結部上側の柱部材に該軸杆を挿入させる軸穴が設けられ、棚板には軸杆を貫通させる貫通孔が穿孔されており、棚板の貫通孔に軸杆を貫通させた状態で任意の軸杆回り位置に棚板を固定させる位置決め装置を有することから、複数の柱部材と棚板とを自由に組合せながら棚装置を組み立てる際に、位置決め装置を介して所望の軸回り位置に設定した棚板を固定的に位置決めできるので、位置決め後の作業では棚板がずれることがなく、作業をスムーズに行うことができ、誰でも簡単に組み立てることができる。同時に利用者の好みの位置に応じた棚板構成を確実に構築できることができる。また、棚装置の組み立て後も位置決め装置により棚板と柱部材との連結強度が比較的高く、棚板のぐらつきが少なく、棚板に物を置く際に安定した構造を期待できる。
【００１３】
また、位置決め装置は、連結部下側の柱部材が棚板を受ける受面であって、該受面から上方に向けて突設され、棚板の連結部下側の柱部材への打ち込みにより棚板に突き刺さって該棚板を位置決め固定する１個又は複数個の突刺部材を含む構成とすることにより、棚板の軸杆回り位置を自由に定めた後に該棚板を木槌等で打ち込むといった簡単な作業だけで棚板を位置決め固定でき、棚装置の組立作業をスムーズに行えるとともに、位置決め装置を極めて単純な構造で具体的に実現できる。
【００１４】
また、軸杆は下部を柱部材に埋め込ませて上部を上方に突設させたねじ軸からなり、上側の柱部材に該ねじ軸と螺着する埋め込みナットを設置させた構成とすることにより、ねじ軸や埋め込みナットを柱部材に埋め込んだ簡単な構造であり、柱部材どうしの上下の連結構成を部品点数が少ない、簡単な構成で具現できる。
【００１５】
また、埋め込みナットには外周から径方向に突設された突設部が設けられ、埋め込みナットを上側の柱部材に予め形成した穴に打ち込む際に突設部を打撃しつつ埋め込みナットを埋め込ませる構成とすることにより、埋め込みナットの特に打ち込み基端に直接打撃を与えることなく、突設部に打撃受けさせることで埋め込みナットを柱部材に埋め込みできる結果、該埋め込みナットの変形や損傷を良好に防止しつつ、スムーズかつ短時間で埋め込みナットを埋め込むことができる。また、柱部材に埋め込みナットが埋め込まれた状態では、径方向に突設する突設部により埋め込みナットが柱部材に対して回転するのを防止でき、確実に連結させることができる。
【００１６】
また、突設部は、埋め込みナットの打ち込み基端より埋め込み逆方向に突出された打撃受け部を含む構成とすることにより、ある程度ラフな打ち込み作業でも埋め込みナットの打ち込み基端にハンマー等が当たりにくく、該埋め込みナットに当たって損傷、変形するのをより確実に防止できるととともに、埋め込みナットの柱部材への埋め込み作業をスムーズかつ短時間で行える。
【発明を実施するための最良の形態】
【００１７】
以下添付図面を参照しつつ本発明の棚装置の一実施形態について説明する。本実施形態にかかる棚装置は、例えば、置物や商品等を陳列や収納したり、猫や鳥等の小動物の遊具としたり等、その他多目的に利用できる棚装置である。図１ないし図５には、本発明の棚装置の一実施形態を示している。図１、図２に示すように、本実施形態では、棚装置１０は、上下に連結される複数の柱部材１２と、柱部材１２の連結部間に挟装させて配置される棚板１４と、棚板１４の位置決め装置１６と、を有している。
【００１８】
図１、図３に示すように、柱部材１２は、連結部１８で上下に連結されて、縦に立設される柱体２０を構築し、１ないし複数の棚板１４を支持する。本実施形態では、同じ長さの３本の柱部材１２１〜１２３と長さが短い１本柱部材１２４との合計４本の柱部材１２１〜１２４から柱体２０を形成している。各柱部材１２は、例えば、木製の角柱部材からなる。柱部材１２は、上下両端面がそれぞれ棚板１４を挟装する際に該棚板板面に当接する平面となっており、上端には棚板１４を下から受ける受面１２ａが形成されるとともに、下端には連結時に棚板１４を上から押える押え面１２ｂが形成されている。なお、柱部材１２は、例えば、円柱部材や三角形又は五角形以上の多角形柱部材等その他任意でもよい。図１、図４に示すように、本実施形態では、最も下部側の柱部材１２１の下側には、上下に連結した柱部材１２すなわち柱体２０を自立させるように支持する支持台部２２が連結されている。支持台部２２は、例えば、一方向に長い矩形状の２つの長板材２２１、２２２を平面視十字状に重ねて、十字重ね部位にボルト２３を下側から上に貫通した状態でナット等により固定されている。このボルト２３に後述の柱部材１２１の埋め込みナット３０に連結して柱部材１２１と支持台部２２とが組み付けられている。支持台部２２の十字状に重ねた長板材のうち上方の長板材２２１の長手両端部側には、下側の長板材２２２の厚み分の高さの調整部材２２３が固定されて安定する。なお、支持台部２２は、例えば、ある程度広面積の一枚の矩形板部材や円形板部材、十字板部材や、杆状の骨部材を複数組み付けた枠状構造や三脚構造等その他任意の構成でもよい。また、本実施形態では支持台部２２により柱体２０を自立支持するように構成したが、例えば、上下に連結した柱部材１２を天井と床面とに突き当てて固定する構成としてもよい。
【００１９】
図１、図２に示すように、柱部材１２どうしを上下に連結する連結手段は、下側の柱部材１２から上方に向けて突設される軸杆２４と、上側の柱部材１２に該軸杆２０を挿入させるべく設けられた軸穴２６と、を含む。本実施形態では、軸杆２４は外周に雄ねじ部を形成したねじ軸２８からなるとともに、軸穴２６の内周壁には雌ねじ部が形成されている。連結部下側の柱部材１２のねじ軸２８と、上側の柱部材１２の軸穴２６の雌ねじ部とが螺着して強固に連結される。軸穴２６の雌ねじ部は、柱部材１２に埋め込みナット３０を設置して構成されている。図４にも示すように、各柱部材１２１〜１２３は、上端の受面１２ａの中心からねじ軸２８を上方に突設しつつ、押え面１２ｂすなわち下端面の中心から柱部材内側に向けて穿穴された穴に埋め込みナット３０を埋め込み設置されている。なお、最も上側に連結される柱部材１２４は、他の柱部材１２１〜１２３と異なり、下部側に埋め込みナット３０は設置されておるが、ねじ軸２８が突設されていない構造となっている。
【００２０】
ねじ軸２８は、例えば、下部側を柱部材１２（１２１〜１２３）に埋め込ませて雄ねじ部２８ａを含む上部側を上方に突設させて、柱部材１２と一体化している。ねじ軸２８の突設長さは、例えば、棚板１４の厚みより十分長く、該棚板を貫通した状態で先端が突出して、上側の柱部材と連結するように設定される。ねじ軸２８の突設基部側には雄ねじ部が形成されていない非ねじ部２８ｂが形成されている。非ねじ部２８ｂは、例えば、棚板１４の厚みと略同じ程度に設けられている。非ねじ部２８ｂは、後述のようにねじ軸と棚板１４との抵抗を低減し棚板１４のねじ軸２８の軸方向に沿った移動をスムーズに行わせうる。また、棚板１４とねじ軸２８との間のガタツキが少なく強度を保持できる。ねじ軸２８の柱部材１２への埋め込みは、例えば、柱部材１２にドリル等で下穴を設けておき、非ねじ部２８ｂをペンチやクランプ装置等で掴んだ状態で軸回り回転させながらねじ込んだり、ねじ軸２８を掴んだペンチ等をハンマー等で打ち込んだり、又は機械的にねじ軸を掴んで圧入したりすることで埋め込ませる。なお、例えば、ねじ軸２８の柱部材に埋め込まれる下部側にもねじ山を設けておくとねじ軸２８と柱部材１２との連結強度を高くできる。
【００２１】
埋め込みナット３０は、内周壁に雌ねじ部が形成された長ナットからなり、柱部材１２（１２１〜１２４）の下部に埋め込み配置される。なお、本実施形態では、埋め込みナット３０を埋め込む際には、例えば、柱部材１２を上下逆さにした状態で、押え面１２ｂの中心に下穴を空けて埋め込みナット３０を打ち込むことにより埋め込ませる。図６、図７に示すように、埋め込みナット３０には外周から径方向に突設された突設部３２が設けられている。突設部３２は、埋め込みナット３０を柱部材１２に予め穿穴した下穴に打ち込む際に打撃を受ける打撃受け手段であり、該突設部３２をハンマー等で打撃しつつ埋め込みナット３０を柱部材１２に埋め込ませることができる。本実施形態では、突設部３２は、例えば、埋め込みナット３０に溶接等で一体的に固定された金属板部材からなり、板面を縦にして埋め込みナット３０の軸方向と略平行に設けられている。さらに、突設部３２は、埋め込みナットの打ち込み基端３０ａより埋め込み逆方向に突出させた打撃受け部３４を有している。すなわち、突設部３２の打ち込み基端が打撃受け部３４を形成し、埋め込みナットの打ち込み基端３０ａより段上がり。状に設定されている。基本的には、突設部３２は、埋め込みナット３０の打ち込み基端３０ａと同じ高さであれば該突設部を打撃して埋め込みナットを完全に柱部材に埋め込ませることができる。しかしながら、本実施形態のように打撃受け部３４を設けることにより、埋め込みナットの打ち込み基端３０ａが打撃受け部３４に対して段下り位置に配置される結果、該突設部に対してある程度ラフな打ち込み作業でも埋め込みナットの基端３０ａにはハンマー等が当たりにくく、該埋め込みナットの基端３０ａの損傷、変形をより確実に防止できる。これにより、埋め込みナット３０をハンマー等の打撃から確実に保護しながら、スムーズに埋め込みナット３０の打ち込み作業ができる。突設部３２の打ち込み先端部３２ａは、埋め込みナットの長手方向の中間位置に設定されており、その先端側をくさび状に先鋭させて形成されている。柱部材１２への打ち込み時に該埋め込みナットとともに突設部３２を柱部材に対して打ち込みやすくなっている。また、突設部３２は、埋め込みナットの径方向に突設されているので、該埋め込みナットが柱部材に対して回転するのを防止でき、下側の柱部材のねじ軸との良好な連結を実現できる。なお、突設部３２は、埋め込みナット３０の外周に複数設けても良い。また、埋め込みナットは、軸穴２６全体に雌ねじ部を形成するような長ナットに限らず、軸穴の一部に雌ねじ部を形成するような比較的短いナットでもよい。
【００２２】
棚板１４は、図１、図２、図３に示すように、柱部材１２の連結部１８で上下の柱部材１２間に挟装されて配置される。本実施形態では、３枚の棚板１４１〜１４３が互いに上下に離隔して配置されている。棚板１４は、例えば、木製の矩形板部材からなり、板面を水平にして設置される。図４にも示すように棚板１４にはねじ軸２８を貫通させる貫通孔３６が穿孔されている。貫通孔３６は、ねじ軸の外径と略同じ程度の径に設定されており、棚板１４をねじ軸２８の長手軸方向に沿って上下に移動自在とするとともに、軸回り回転自在とさせて棚板１４をねじ軸２８の軸回りの任意の向きすなわち任意の軸回り位置に設定することができる。棚板１４は、連結部下側の柱部材１２の受面１２ａに受けさせた状態で位置決め装置１６により固定的に位置決めされる。なお、最も上段の棚板１４３には、例えば、比較的大きな径の嵌装孔３８が設けられており、上側に次第に径が大きくなるテーパ状の花瓶Ｐや植木鉢等を嵌装させて安定して配置させることもできる。
【００２３】
図１、図５に示すように、位置決め装置１６は、棚板１４の貫通孔３６にねじ軸２８を貫通した状態で任意の軸回り位置に該棚板１４を固定させる位置決め手段である。位置決め装置１６は、ねじ軸回りの向きを定めた棚板１４を連結部下側の柱部材１２の受面１２ａに受けさせた状態で、棚板１４の軸回りを規制して位置決めするストッパ機能として作用する。また、連結部１８において下側の柱部材１２と棚板１４とを一体的に固定する位置決め連結手段とも言える。これにより、例えば、上側の柱部材で棚板１４を挟装する前でも下側の柱部材１２に棚板１４を固定的に位置決めさせるので、上側の柱部材１２の連結作業等の際に一度決めた棚板１４の方向がずれにくく、作業をスムーズに行えると同時に、棚板１４を所望の位置構成で正確に組み付けることができる。本実施形態では、位置決め装置１６は、図２、図４にも示すように、柱部材１２の上端側の受面１２ａから上方に向けて突設された２個の突刺部４０を含む。２個の突刺部４０は、例えば、ねじ軸２８からある程度離隔した位置であり、柱部材１２の対角線上の隅部近傍位置に設けられている。突刺部４０は、柱部材１２の上端の受面１２ａから上方に釘先状に先鋭して設けられており、貫通孔３６にねじ軸２８を貫通した状態の棚板１４を連結部下部となる柱部材１２側（図５上、Ｔ方向）に打ち込むことにより、棚板１４に突き刺さって該棚板１４を位置決め固定する。棚板１４は木製であるので、該棚板１４がねじ軸回りの３６０°いずれの位置であっても位置決めさせることができ、棚板１４の設計自由度が高く、微調整しながら好みの向きに設定することができる。本実施形態では、突刺部４０は、例えば、ある程度の長さの金属細杆の一端側を釘先状に尖らせ、釘先状の一端を上向きにして柱部材１２に埋め込むことにより設けられている。この突刺部４０を先端に形成した金属細杆を埋め込む際には、例えば、柱部材１２にドリル等で下穴を設けておき、先端側をペンチやクランプ装置等で掴んだ状態でペンチ等をハンマー等で打ち込んだり、細杆を掴んだ状態で軸回り回転させながら下穴にねじ込んだり、又は機械的にねじ軸を掴んで圧入したりすることで埋め込み配置させる。なお、上述のようにねじ軸２８には非ねじ部２８ｂが形成されているので、棚板１４を柱部材側に打ち込む際に、棚板の貫通孔３６内周面がねじ軸のねじ山に引っかかったりしにくくスムーズに打ち込むことができ、作業を円滑かつ確実に行える。なお、位置決め装置１６は、例えば、上記と逆に棚板１４側に突刺部４０を設けてもよい。また、上側の柱部材１２の下端の押え面１２ｂ側に突刺部を設けてもよく、この場合軸杆と軸穴はねじ構成ではなく、例えば、単純な杆部材と穴との構成としてもよい。
【００２４】
本実施形態に係る棚装置１０を組み立てる際には、予めねじ軸２８、埋め込みナット３０、突刺部４０等を設けた複数の柱部材１２１〜１２３と、埋め込みナット３０を設けた最も上側の柱部材１２４と、貫通孔３６をあけた棚板１２１と、を用意しておく。例えば、支持台部２２を床上に置き、ボルト２３に柱部材１２１の埋め込みナット３０を螺着させる。図５に示すように、該柱部材１２１のねじ軸２８に棚板１４の貫通孔３６を貫通させた状態で、該棚板１４１を軸回りの任意の向きに設定して位置決め装置１６により固定する。この際、所望の位置に棚板１４１を設定した状態で例えば木槌等で棚板１４１を下側の柱部材１２１（Ｔ方向）に打ち込むことにより、棚板１４を下側の柱部材の受面１２ａから突設した突刺部４０に突き刺して位置決め固定する。この際、ねじ軸２８には非ねじ部２８ｂが設けられているので、棚板１４１の柱部材１２１側への打ち込み移動がスムーズであり、作業性がよい。これにより、棚板１４を所望の軸回り位置に位置決め固定することができ、後の作業をスムーズに行えるとともに、利用者の望む棚板構成に正確に組み付けることができる。そして、棚板１４１を貫通して突出された下側の柱部材１２１のねじ軸２８に埋め込みナット３０を介して上側の柱部材１２２を連結させる。同様に、棚板の配置、突刺部を介した位置決め固定、上側の柱部材の連結を繰返しながら組み立てて行き、最も上側の柱部材１２４を連結させて、図１、図３に示すような棚装置１０が組立てられる。このようにして、誰でも簡単に棚板の縦軸回り方向を自由に設定しながら棚装置１０を組み立てることができる。なお、本実施形態では、柱部材１２を上下に連結した柱体２０は一本の構成であるが、例えば、２本以上の複数本の柱体を設けてもよい。この際、任意の棚板１４を２本の柱体に架設してもよい。なお、ねじ軸や埋め込みナット、突刺部４０を設けた複数の柱部材１２、棚板１４等の棚装置１０の構成部材をひとまとめにして、キットものとして販売してもよい。また、棚装置は柱部材や棚板等が木製であるので室内に限らず屋外でも利用できる。
【００２５】
以上説明した本発明の棚装置は、上記した実施形態のみの構成に限定されるものではなく、特許請求の範囲に記載した本発明の本質を逸脱しない範囲において、任意の改変を行ってもよい。
【産業上の利用可能性】
【００２６】
本発明の棚装置は、例えば、室内の装飾や店内の商品陳列等のために花瓶、植木鉢、人形、写真、茶碗などの食器、その他趣味小物等の置物や商品の陳列、収納や、猫等の遊具など、多目的に利用できる。
【図面の簡単な説明】
【００２７】
【図１】本発明の一実施形態に係る棚装置の側面図及び一部を拡大した説明図である。
【図２】図１の棚装置の分離状態の一部拡大図で要部を切り欠きして表した説明図である。
【図３】図１の棚装置の斜視図である。
【図４】図３の棚装置の分解斜視図である。
【図５】棚板を位置決め固定する際の作用説明図である。
【図６】埋め込みナットの斜視図である。
【図７】埋め込みナットの側面図である。
【符号の説明】
【００２８】
１０    棚装置
１２    柱部材
１４    棚板
１６    位置決め装置
１８    連結部
２４    軸杆
２６    軸穴
２８    ねじ軸
３０    埋め込みナット
３２    突設部
３４    打撃受け部
３６    貫通孔
４０    突刺部
【図１】
2009254713.tif 000003
【図２】
2009254713.tif 000004
【図３】
2009254713.tif 000005
【図４】
2009254713.tif 000006
【図５】
2009254713.tif 000007
【図６】
2009254713.tif 000008
【図７】
2009254713.tif 000009